(57)【要約】      （修正有）【課題】より快適かつ衛生的に継続使用することが可能な衛生洗浄装置を提供する。【解決手段】人体の局部に向けて洗浄水を噴出する洗浄ノズルＢ１を備える衛生洗浄装置Ａ１であって、洗浄ノズルＢ１は、少なくとも洗浄水を噴出する噴出状態において、局部に向けて洗浄水を噴出するとともに、ｘ方向において互いに離間した２つの噴出孔２を有しており、２つの噴出孔２の間には、局部のｚ方向下方に位置する空隙部３が構成されている。【選択図】図１
2015052213.tif 000002
【特許請求の範囲】
【請求項１】
人体の局部に向けて洗浄水を噴出する洗浄ノズルを備える衛生洗浄装置であって、
前記洗浄ノズルは、少なくとも前記洗浄水を噴出する噴出状態において、前記局部に向けて前記洗浄水を噴出するとともに、鉛直方向と交差する方向において互いに離間した２つの噴出孔を有しており、
前記２つの噴出孔の間には、前記局部の鉛直方向直下に位置する空隙部が構成されていることを特徴とする、衛生洗浄装置。
【発明の詳細な説明】
【技術分野】
【０００１】
本発明は、便器に取り付けられて人体の局部を洗浄するための衛生洗浄装置に関する。
【背景技術】
【０００２】
トイレに備えられた便器には、人体の局部を洗浄するための衛生洗浄装置が備えられることがごく一般的となっている。図５は、従来の衛生洗浄装置の一例を示している（たとえば、特許文献１参照）。同図に示された衛生洗浄装置Ｘは、便器９１に取り付けられている。便器９１には、通常、便座９２および蓋９３が備えられている。衛生洗浄装置Ｘは、洗浄ノズルＹを備えている。また、衛生洗浄装置Ｘは、図示しない洗浄液タンク、モータ駆動によるポンプなどに代表される洗浄液噴出源、洗浄ノズルＹを図中ｙ方向に進退動させるための進退動機構、さらには、これらの洗浄液噴出源および進退動機構を駆動制御するための制御部、操作部などを適宜備える。これらの構成要素は、従来から広く既知であり、以下においては詳細な説明を省略する。
【０００３】
洗浄ノズルＹは、通常棒状であり、人体の局部に向けて洗浄液Ｌｑを噴出する噴出口９４が形成されている。洗浄ノズルＹは、上述した進退動機構により、不使用時の退避状態と、使用時の噴出状態とをとる。前記退避状態においては、洗浄ノズルＹはたとえば便座９２に隠れるようにｙ方向奥方に退避している。前記噴出状態においては、洗浄ノズルＹは図示されたように、便座９２からｙ方向に突出し、噴出口９４が人体の局部のｚ方向直下に位置する。この噴出状態において、前記操作部および前記制御部から洗浄液Ｌｑの噴出が指令されると、前記洗浄液噴出源によって噴出口９４から洗浄液Ｌｑがｚ方向上方に向けて噴出される。この噴出された洗浄液Ｌｑが人体の局部を洗浄する。
【０００４】
しかしながら、洗浄液Ｌｑによる洗浄に伴い、局部に残存していた排泄物がｚ方向下方に落下する。洗浄ノズルＹは、噴出状態において局部に対してｚ方向直下に位置しているため、排泄物が洗浄ノズルＹに付着するおそれがある。さらに、洗浄ノズルＹは、一般的に、洗浄液Ｌｑの噴出が終了すると、使用者が便座９２から立ち上がる前に前記退避状態をとる。また、次の使用に際しても、使用者が便座９２に腰掛ける際には前記退避状態をとっている。このため、仮に洗浄ノズルＹに排泄物が付着したとしても、使用者はそれに気づかない場合がほとんどである。このようなことでは、衛生洗浄装置Ｘが人体を衛生的に保つための装置であるにもかかわらず、不衛生な状態で放置されてしまうという問題がある。また、このような状態に使用者が気づいた場合、使用者は不快極まりない心情を抱かされてしまう。
【先行技術文献】
【特許文献】
【０００５】
【特許文献１】特開２０１０−２６１２０３号公報
【発明の概要】
【発明が解決しようとする課題】
【０００６】
本発明は、上記した事情のもとで考え出されたものであって、より快適かつ衛生的に継続使用することが可能な衛生洗浄装置を提供することをその課題とする。
【課題を解決するための手段】
【０００７】
本発明によって提供される衛生洗浄装置は、人体の局部に向けて洗浄水を噴出する洗浄ノズルを備える衛生洗浄装置であって、前記洗浄ノズルは、少なくとも前記洗浄水を噴出する噴出状態において、前記局部に向けて前記洗浄水を噴出するとともに、鉛直方向と交差する方向において互いに離間した２つの噴出孔を有しており、前記２つの噴出孔の間には、前記局部の鉛直方向直下に位置する空隙部が構成されていることを特徴としている。
【発明の効果】
【０００８】
本発明によれば、局部を洗浄した洗浄液とともに排泄物が落下しても、局部の鉛直方向直下には、前記空隙部が配置されている。このため、排泄物は、洗浄液とともに前記空隙部を通過することとなり、前記洗浄ノズルに付着するおそれが少ない。したがって、前記洗浄ノズルをより衛生な状態に保つことが可能であり、使用者がより快適かつ衛生的に前記衛生洗浄装置を継続使用することができる。
【０００９】
本発明のその他の特徴および利点は、添付図面を参照して以下に行う詳細な説明によって、より明らかとなろう。
【図面の簡単な説明】
【００１０】
【図１】本発明の第一実施形態に基づく衛生洗浄装置を示す要部斜視図である。
【図２】図１の衛生洗浄装置を示す要部平面図である。
【図３】本発明の第二実施形態に基づく衛生洗浄装置を示す要部平面図である。
【図４】本発明の第三実施形態に基づく衛生洗浄装置を示す要部平面図である。
【図５】従来の衛生洗浄装置の一例を示す斜視図である。
【発明を実施するための形態】
【００１１】
以下、本発明の好ましい実施の形態につき、図面を参照して具体的に説明する。
【００１２】
図１および図２は、本発明の第一実施形態に基づく衛生洗浄装置を示している。本実施形態の衛生洗浄装置Ａ１は、図５を参照して説明した便器９１や便座９２に取り付けられ、あるいはその一部が便器９１や便座９２などに適宜内蔵されている。衛生洗浄装置Ａ１は、洗浄ノズルＢ１および上述した図示しない洗浄液タンク、モータ駆動によるポンプなどに代表される洗浄液噴出源、洗浄ノズルＢ１を図中ｙ方向に進退動させるための進退動機構、さらには、これらの洗浄液噴出源および進退動機構を駆動制御するための制御部、操作部などを同様に適宜備える。これらの構成要素は、従来から広く既知であり、以下においては詳細な説明を省略する。また、これらの図においては、鉛直方向がｚ方向である。
【００１３】
洗浄ノズルＢ１は、根元部１１、２つの先端部１２および２つの噴出孔２を有している。洗浄ノズルＢ１は、たとえば樹脂からなる。
【００１４】
根元部１１は、前記洗浄液噴出源や前記進退動機構に連結された部分であり、たとえば棒状である。根元部１１の内部には、洗浄液Ｌｑを通すための中空経路が形成されている。
【００１５】
２つの先端部１２は、根元部１１から延びており、各々がｙ方向に延びている棒状であるとともに、ｘ方向に互いに離間して配置されている。各先端部１２には、洗浄液Ｌｑを通すための中空経路が形成されており、この中空経路は、根元部１１の中空経路と繋がっている。
【００１６】
各噴出孔２は、先端部１２の先端寄り部分に形成されている。これにより、２つの噴出孔２は、互いにｘ方向に離間している。噴出孔２は、上述した中空経路に繋がっており、中空経路を通ってきた洗浄液Ｌｑを噴出させる。本実施形態においては、２つの先端部１２の図中上面がｚ方向に対して若干傾いたものとして形成されており、互いにｘ方向内方側斜め上方を臨む面となっている。先端部１２のこの上面に形成された噴出孔２は、洗浄液Ｌｑをｘ方向内方側斜め上方に噴出させる。
【００１７】
ｘ方向に離間した２つの噴出孔２の間には、空隙部３が構成されている。本実施形態においては、空隙部３は、２つの先端部１２の間に現出する空間であると観念される。
【００１８】
図２は、噴出状態をとった衛生洗浄装置Ａ１の洗浄ノズルＢ１を示している。噴出状態においては、前記進退動機構により、洗浄ノズルＢ１が便座９２から露出している。そして、空隙部３が、人体の局部のｚ方向直下に配置される。一方、２つの先端部１２や根元部１１は、人体の局部よりもｚ方向下方位置しているものの、局部のｚ方向直下からはｘ方向に退避した位置にある。この噴出状態で洗浄液Ｌｑの噴出が指令されると、噴出孔２からｘ方向内方側斜め上方に位置する局部に向けて洗浄液Ｌｑが噴出される。この洗浄液Ｌｑによって局部が洗浄され、洗浄後の洗浄液Ｌｑが局部からｚ方向下方に落下する。この落下する洗浄液Ｌｑは、空隙部３を通過して、便器９１に排出される。
【００１９】
次に、衛生洗浄装置Ａ１の作用について説明する。
【００２０】
本実施形態によれば、局部を洗浄した洗浄液Ｌｑとともに排泄物が落下しても、局部のｚ方向直下には、空隙部３が配置されている。このため、排泄物は、洗浄液Ｌｑと同様に空隙部３を通過することとなり、根元部１１や２つの先端部１２に付着するおそれが少ない。したがって、洗浄ノズルＢ１をより衛生な状態に保つことが可能であり、使用者がより快適かつ衛生的に衛生洗浄装置Ａ１を継続使用することができる。
【００２１】
図３および図４は、本発明の他の実施形態を示している。なお、これらの図において、上記実施形態と同一または類似の要素には、上記実施形態と同一の符号を付している。
【００２２】
図３は、本発明の第二実施形態に基づく衛生洗浄装置を示している。本実施形態の衛生洗浄装置Ａ２は、洗浄ノズルＢ２の構成が上述した実施形態と異なっている。洗浄ノズルＢ２は、先端部１２がｚ方向視円環形状となっている。そして、ｘ方向両側方に離間した部分に２つの噴出孔２が配置されている。また、円環状である先端部１２に囲まれた部分が、空隙部３を構成している。このような実施形態によっても、より衛生的に衛生洗浄装置Ａ２を継続使用できる。また、本実施形態から理解できるように、先端部１２の形状は特に限定されず、２つの噴出孔２をｘ方向において離間配置するとともに、空隙部３を適切に構成しうるものであればよい。また、２つの噴出孔２は、ｘ方向に離間しておればよく、互いのｙ方向の位置がずれていてもよい。
【００２３】
図４は、本発明の第三実施形態に基づく衛生洗浄装置を示している。本実施形態の衛生洗浄装置Ａ３は、洗浄ノズルＢ３の構成が上述した実施形態と異なっている。本実施形態においては、洗浄ノズルＢ３は、２つの根元部１１および２つの先端部１２を有している。２つの根元部１１は、それぞれ別体として形成されており、各々が前記進退動機構によって進退動される。各先端部１２は、各根元部１１の先端に繋がっている。また、各根元部１１は、図示しない回転調整機構によってｙ方向周りに回転可能となっている。２つの根元部１１および２つの先端部１２によって挟まれた空間が、空隙部３を構成している。このような実施形態によっても、より衛生的に衛生洗浄装置Ａ３を継続使用できる。また、根元部１１および先端部１２が回転調整可能であることにより、使用者の体格や姿勢に応じて洗浄液Ｌｑの噴出目的位置を調整することができる。
【００２４】
本発明に係る衛生洗浄装置は、上述した実施形態に限定されるものではない。本発明に係る衛生洗浄装置の各部の具体的な構成は、種々に設計変更自在である。
【符号の説明】
【００２５】
Ａ１〜Ａ３          衛生洗浄装置
Ｂ１〜Ｂ３  洗浄ノズル
１１        根元部
１２        先端部
２          噴出孔
３          空隙部
【図１】
2015052213.tif 000003
【図２】
2015052213.tif 000004
【図３】
2015052213.tif 000005
【図４】
2015052213.tif 000006
【図５】
2015052213.tif 000007